(57)【要約】【課題】部品点数の増加を招くことなく位置決めをすることが可能なバッテリ端子を提供する。【解決手段】バッテリに立設されたバッテリポスト３１に接続されるバッテリ端子１０であって、前記バッテリポスト３１に締め付けられて固定されるポスト接続部１１を有し、前記ポスト接続部１１は、前記バッテリポスト３１を取り囲むように環状に形成された環状部１５から一対の延出片１６が外側に延出して設けられ、この一対の延出片１６が締め付け具により締め付けられて接近することで前記環状部１５が縮径するものであり、前記延出片１６と前記締め付け具との間に挟まれるワッシャ２６は、前記延出片１６よりも外側に突出する形状をなし、この突出部分は、前記バッテリの壁３４に当接することで前記本体部２９の位置決めをする位置決め部２７とされている。【選択図】図７
2012230815.tif 000002
【特許請求の範囲】
【請求項１】
バッテリに立設されたバッテリポストに接続されるバッテリ端子であって、
前記バッテリポストに締め付けられて固定されるポスト接続部を有し、
前記ポスト接続部は、前記バッテリポストを取り囲むように環状に形成された環状部から一対の延出片が外側に延出して設けられ、この一対の延出片が締め付け具により締め付けられて接近することで前記環状部が縮径するものであり、
前記延出片と前記締め付け具との間に挟まれるワッシャは、前記延出片よりも外側に突出する形状をなし、この突出部分は、前記バッテリの壁に当接することで前記ポスト接続部の位置決めをする位置決め部とされているバッテリ端子。
【請求項２】
前記位置決め部は、前記延出片の延出方向に沿う連続部と、この連続部の先端から前記延出方向に交差する方向に屈曲されてなる屈曲部とを有し、
前記屈曲部の先端、および前記連続部と前記屈曲部との間の角部は、前記バッテリの壁に当接する設定とされている請求項１に記載のバッテリ端子。
【発明の詳細な説明】
【技術分野】
【０００１】
本発明は、バッテリ端子に関する。
【背景技術】
【０００２】
従来、自動車などのバッテリに立設されたバッテリポストに接続されるバッテリ端子が知られている。バッテリ端子は、バッテリポストに締め付けられて固定されるポスト接続部を有し、ポスト接続部は、バッテリポストを取り囲むように環状に形成された環状部から一対の延出片が外側に延出して設けられてなり、この一対の延出片がボルト等の締め付け具により締め付けられて接近することで環状部が縮径するものである。
一対の延出片に挿通した締め付け具を締め付ける際には、ポスト接続部に回転トルクが作用する。このため、バッテリ端子を所定の向きでバッテリポストに接続するためには、接続作業の際のバッテリ端子の回動動作を規制する必要がある。そこで、バッテリ端子の回動動作を規制する回動規制部材を用いて、バッテリ端子の位置決めを図るものが知られている（例えば特許文献１）。この回動規制部材は、バッテリ端子に組み付けられ、バッテリ本体の側面に当接することで、バッテリ端子の回動動作を規制する。
【先行技術文献】
【特許文献】
【０００３】
【特許文献１】特開２０１０−４０２５８号公報
【発明の概要】
【発明が解決しようとする課題】
【０００４】
しかしながら、上記のように、バッテリ端子に回動規制部材を組み付けて、バッテリ端子の位置決めを行う構成では、回動規制部材の分だけ部品点数が増加するという問題があった。
【０００５】
本発明は上記のような事情に基づいて完成されたものであって、部品点数の増加を招くことなく位置決めをすることが可能なバッテリ端子を提供することを目的とする。
【課題を解決するための手段】
【０００６】
本発明は、バッテリに立設されたバッテリポストに接続されるバッテリ端子であって、前記バッテリポストに締め付けられて固定されるポスト接続部を有し、前記ポスト接続部は、前記バッテリポストを取り囲むように環状に形成された環状部から一対の延出片が外側に延出して設けられ、この一対の延出片が締め付け具により締め付けられて接近することで前記環状部が縮径するものであり、前記延出片と前記締め付け具との間に挟まれるワッシャは、前記延出片よりも外側に突出する形状をなし、この突出部分は、前記バッテリの壁に当接することで前記ポスト接続部の位置決めをする位置決め部とされているものである。
このような構成によれば、バッテリ端子を構成する上で必須とされているワッシャが、バッテリ端子の位置決め機能を有しているから、部品点数を増やすことなくバッテリ端子を位置決めすることができる。
【０００７】
また、前記位置決め部は、前記延出片の延出方向に沿う連続部と、この連続部の先端から前記延出方向に交差する方向に屈曲されてなる屈曲部とを有し、前記屈曲部の先端、および前記連続部と前記屈曲部との間の角部は、前記バッテリの壁に当接する設定とされているものとしてもよい。このような構成によれば、ポスト接続部のいずれの方向の回動も規制することができる。
【発明の効果】
【０００８】
本発明によれば、部品点数の増加を招くことなく位置決めをすることが可能なバッテリ端子を提供することができる。
【図面の簡単な説明】
【０００９】
【図１】本実施形態におけるバッテリ端子を示す分解斜視図
【図２】バッテリ端子を示す平面図
【図３】バッテリ端子を示す正面図
【図４】バッテリ端子と電線側端子金具との接続構造を示す一部切り欠き側面図
【図５】バッテリの上面にセットされたバッテリ端子を示す平面図であって、ポスト接続部を締め付ける前の状態を表す平面図
【図６】バッテリの上面にセットされたバッテリ端子を示す平面図であって、一方向の回動が規制された状態を表す平面図
【図７】バッテリの上面にセットされたバッテリ端子を示す平面図であって、他方向の回動が規制された状態を表す平面図
【発明を実施するための形態】
【００１０】
＜実施形態＞
以下、本発明を具体化した一実施形態について、図１〜図７を参照しつつ詳細に説明する。
本実施形態におけるバッテリ端子１０は、自動車等に搭載されるバッテリ３０に立設されたバッテリポスト３１に接続されるものである。
【００１１】
バッテリ３０は、略箱形をなすバッテリ本体３２の上面に、一対のバッテリポスト３１が立てられた構造である。バッテリポスト３１は、バッテリ本体３２の上面の角部に設けられたポスト設置部３３に一ずつ設置されている。ポスト設置部３３は、バッテリ本体３２の上端面よりも一段凹んだ部分であり、上方から見ると略方形をなしている（図５等参照）。ポスト設置部３３は、内側の２辺のみに略直角をなす壁３４が立ち上がり、その反対側は、バッテリ本体３２の側方に開放された形態をなしている。
【００１２】
バッテリポスト３１は、鉛などにより上端側に向けて次第に径の小さくなる略円柱形に形成されている。バッテリポスト３１は、ポスト設置部３３の一部を構成する壁３４およびバッテリ本体３２の外縁から所定寸法離れた位置（ポスト設置部３３の中央部）に設けられている。バッテリポスト３１は、図示しない台座から上方に立ち上げられている。
【００１３】
バッテリ端子１０は、導電性に優れた厚肉の金属板をプレス加工などすることによって形成され、バッテリポスト３１に締め付けられて固定されるポスト接続部１１と、電線４０側に接続される電線接続部１２とを備えている。電線接続部１２は、ポスト接続部１１の側方に位置し、ポスト接続部１１と一体に設けられた箱部１３から、スタッドボルト１４が立設したものである。
【００１４】
ポスト接続部１１は、バッテリポスト３１を取り囲むように環状に形成された環状部１５と、環状部１５から外側に延出して設けられた一対の延出片１６とを有している。環状部１５は、一対の延出片１６が締付ボルト（締め付け具）１７および締付ナット（締め付け具）１８により締め付けられて接近することで縮径するものとされている。
【００１５】
環状部１５は、バッテリポスト３１と同じテーパー角度で上端側に向けて次第に径が小さくなるとともに、その周方向において所定の幅が開放された円環状に形成されている。環状部１５は、縮径する前の自然状態では、バッテリポスト３１よりも一回り大きい径寸法を有している。また、環状部１５は、バッテリポスト３１の全体を取り囲む高さ寸法を有している。
【００１６】
一対の延出片１６は、電線接続部１２の反対側に位置する環状部１５の開放端から、互いに対向するように径方向外側に延出している。各延出片１６は平板状をなし、その上下方向の幅寸法（高さ寸法）は、環状部１５の高さ寸法と同等とされている。各延出片１６のほぼ中央位置には、ボルト挿通孔１９が形成され、一対の延出片１６には、一の締付ボルト１７が貫通して装着されている。締付ボルト１７は、一対の延出片１６のうち一方の延出片（第一延出片１６Ａと称する）の外側に頭部１７Ａが当たる向きで挿通され、他方の延出片（第二延出片１６Ｂと称する）の外側に軸部１７Ｂが突出している。この軸部１７Ｂに螺合された締付ナット１８を締め付けると、一対の延出片１６の間隔が狭まって環状部１５の内径寸法が小さくなる（縮径する）。また、締付ナット１８を緩めると、一対の延出片１６の間隔が広くなって環状部１５の内径寸法が大きくなる（拡径する）。なお、この締付ナット１８と第二延出片１６Ｂとの間にはワッシャ２６が挟まれており、このワッシャ２６については後ほど詳しく説明する。
【００１７】
一対の延出片１６の上端および下端には、その対向方向に曲げられたリブ２１が設けられている。リブ２１は、第一延出片１６Ａの上端から第二延出片１６Ｂ側に向かって突出するものと、第二延出片１６Ｂの下端から第一延出片１６Ａ側に向かって突出するものとからなり、このリブ２１が対向する延出片１６の内面に突き当たることで、環状部１５の過度の縮径が防止される。
【００１８】
環状部１５の下端には、フランジ部２２が外側に突出して形成されている。フランジ部２２には、バッテリポスト３１の台座に設けられた突部（図示せず）が嵌合する窪み部２３が設けられている。窪み部２３は、フランジ部２２の外縁を内側に凹ませてなり、環状部１５を中心にして対称位置に一対が設けられている。両窪み部２３を、それぞれ対応する突部に嵌めることにより、バッテリ端子１０をセットする際の位置決め、および回り止めを図ることができる。
【００１９】
バッテリ端子１０に接続される電線側端子金具４１は、導電性に優れた金属板をプレス加工して形成され、図４に示すように、バッテリ端子１０の電線接続部１２に接続されるバッテリ側接続部４２と、電線４０に圧着される電線圧着部４３とを有し、バッテリ側接続部４２と電線圧着部４３との繋ぎ部分が略直角に屈曲されたＬ字型をなしている。電線圧着部４３は、電線４０の端末部において露出された芯線４５にカシメられる一対のバレル片４６を備えている。
【００２０】
バッテリ側接続部４２には、スタッドボルト１４を挿通可能な挿通孔４４が略円形をなして形成されている。バッテリ側接続部４２は、挿通孔４４にスタッドボルト１４を挿通させて箱部１３の上面に載せられ、その上側にワッシャ２４を介して固定ナット２５が締め付けられることにより、箱部１３に押し付けられて固定される。
【００２１】
さて、第二延出片１６Ｂと締付ナット１８との間に挟まれたワッシャ２６は、第二延出片１６Ｂよりも外側に突出する形状をなし、この突出部分は、ポスト設置部３３の壁３４に当接することでポスト接続部１１の位置決めを行う位置決め部２７とされている。
【００２２】
ワッシャ２６は、第二延出片１６Ｂの板面内に収まる大きさの本体部２９から、位置決め部２７が突出してなるものであり、本体部２９から位置決め部２７にかけての幅寸法（ワッシャ２６全体の幅寸法）は一定とされている。ワッシャ２６の幅寸法は、延出片１６の高さ寸法よりも若干小さい寸法である。なお、本体部２９の中央には、締付ボルト１７の軸部１７Ｂが貫通する貫通孔２８が形成されている。
【００２３】
位置決め部２７は、１個所において屈曲された形態をなし、ワッシャ２６は、全体としてＬ字型をなしている。位置決め部２７は、第二延出片１６Ｂの延出方向に沿う（本体部２９と同一板面をなす）連続部２７Ａと、この連続部２７Ａの先端から延出方向に交差する方向に屈曲されてなる屈曲部２７Ｂとを有している。屈曲部２７Ｂは、第二延出片１６Ｂ側から第一延出片１６Ａ側へ向かって延びるものであり、その先端は、第一延出片１６Ａを越えて締付ボルト１７の頭部１７Ａよりも外側に至っている（図２参照）。屈曲部２７Ｂの長さ寸法は、連続部２７Ａの長さ寸法（本体部２９からの突出寸法）よりも大きく、また連続部２７Ａと本体部２９とを加算した長さ寸法よりも大きくされている。そして、屈曲部２７Ｂの先端と、連続部２７Ａと屈曲部２７Ｂとの間の角部２７Ｃとが、それぞれバッテリ３０の壁３４に当接する設定とされている。なお、連続部２７Ａと屈曲部２７Ｂとは鋭角をなしている。
【００２４】
次に、バッテリ３０に対するバッテリ端子１０の接続作業、およびバッテリ端子１０に対する電線側端子金具４１の接続作業について説明する。
まず、バッテリ端子１０をバッテリポスト３１に接続する。バッテリ端子１０のポスト接続部１１をバッテリポスト３１に嵌合させ、窪み部２３に突部が嵌め込まれる向きにしてセットする。すると、バッテリ端子１０は、図５に示すように、その長手方向（ポスト接続部１１と電線接続部１２との並び方向）が、バッテリ３０の壁３４と略平行をなし、電線接続部１２がポスト設置部３３の開放側に位置する向きでセットされ、ワッシャ２６の屈曲部２７Ｂが、バッテリ３０の壁３４から若干離れた位置において壁３４と略平行に配される。
【００２５】
そして、一対の延出片１６に貫通して備えられた締付ボルト１７と、この締付ボルト１７に螺合された締付ナット１８とを締め付ける。締付ナット１８を図示しないレンチ等の工具で締め付けると、その際に作用する力により、バッテリ端子１０はバッテリポスト３１を中心に回動しようとする。このとき、バッテリ端子１０が一方向（上方から見て時計回り方向）に回動すると、図６に示すように、位置決め部２７の角部２７Ｃが壁３４に当接し、それ以上の回動が規制される。また、バッテリ端子１０が他方向（同反時計回り方向）に回動すると、図７に示すように、屈曲部２７Ｂの先端が壁３４に当接し、それ以上の回動が規制される。こうして、バッテリ端子１０の回動が規制された状態のまま、両延出片１６が次第に接近し、ポスト接続部１１の内径が小さくなってバッテリポスト３１に締め付け固定され、バッテリ端子１０の接続作業が完了する。
【００２６】
次いで、バッテリ端子１０に電線側端子金具４１を接続する。電線接続部１２のスタッドボルト１４に、電線側端子金具４１の挿通孔４４を通し、バッテリ側接続部４２を箱部１３の上側に載せる。その後、スタッドボルト１４にワッシャ２４を挿通し、そのワッシャ２４の上方に固定ナット２５を螺合させ、固定ナット２５を工具で締め付ける。すると、バッテリ側接続部４２が箱部１３に押し付けられて締結され、バッテリ端子１０に対する電線側端子金具４１の接続作業が完了する。この接続作業の際、固定ナット２５を締め付ける力により、バッテリ端子１０には回転トルクが作用するけれども、既にバッテリ端子１０はバッテリポスト３１に強固に固定されているから、その回動は抑えられる。
【００２７】
上記のように構成された実施形態１によれば、以下の効果を奏する。
本実施形態のバッテリ端子１０は、バッテリ３０に立設されたバッテリポスト３１に接続されるものであって、バッテリポスト３１に締め付けられて固定されるポスト接続部１１を有し、ポスト接続部１１は、バッテリポスト３１を取り囲むように環状に形成された環状部１５から一対の延出片１６が外側に延出して設けられ、この一対の延出片１６が締付ボルト１７と締付ナット１８とにより締め付けられて接近することで環状部１５が縮径するものであり、第二延出片１６Ｂと締付ナット１８との間に挟まれるワッシャ２６は、第二延出片１６Ｂよりも外側に突出する形状をなし、この突出部分が、バッテリ３０の壁３４に当接することでポスト接続部１１の位置決めをする位置決め部２７とされている。
【００２８】
このように、バッテリ端子１０を構成する上で必須とされているワッシャ２６が、バッテリ端子１０の位置決め機能を有しているから、部品点数を増やすことなくバッテリ端子１０を位置決めすることができる。さらに、本実施形態のバッテリ端子１０によれば、バッテリ端子１０を構成する必須の部品とは別の位置決め用の部品を、バッテリ端子１０に組み付けて使用する場合に比べて、この組み付け作業を要しない分だけ作業工数を低減することができる。したがって、本実施形態のバッテリ端子１０によれば、部品点数を増やすことなく、また組み付け工数を減らすことができるから、位置決め機能を有するにもかかわらず、コストの増加を抑えることができる。
【００２９】
また、バッテリ端子１０と、電線側端子金具４１との接続が完了した後、電線４０が引っ張られることによってバッテリ端子１０に回転トルクが作用した場合に、何らかの理由でポスト接続部１１の固定が若干緩んで、バッテリ端子１０が回動しようとしたときには、ワッシャ２６の位置決め部２７がバッテリ３０の壁３４に当接することで、バッテリ端子１０のそれ以上の回動が規制される。このように、本実施形態のバッテリ端子１０によれば、バッテリ３０に接続する際のみならず、使用状態においてもその回動を規制することができる。したがって、電線４０が引っ張られることによってバッテリ端子１０が大きく回動し、ポスト接続部１１の緩みが著しくなり、ひいては外れてしまう事態を防ぐことができる。
【００３０】
また、ワッシャ２６の位置決め部２７は、第二延出片１６Ｂの延出方向に沿う連続部２７Ａと、この連続部２７Ａの先端から延出方向に交差する方向に屈曲されてなる屈曲部２７Ｂとを有し、屈曲部２７Ｂの先端と、連続部２７Ａと屈曲部２７Ｂとの間の角部２７Ｃとが、それぞれバッテリ３０の壁３４に当接するものとされている。これにより、ポスト接続部１１のいずれの方向の回動をも規制することができる。したがって、ポスト接続部１１をバッテリポスト３１に締め付け固定する際に、どちらの方向に力が作用してもバッテリ端子１０を位置決めすることができる。
【００３１】
＜他の実施形態＞
本発明は上記記述及び図面によって説明した実施形態に限定されるものではなく、例えば次のような実施形態も本発明の技術的範囲に含まれる。
【００３２】
（１）上記実施形態では、位置決め部２７は、締付ナット１８と第二延出片１６Ｂとの間に挟まれるワッシャ２６の一部として備えられているが、これに限らず、位置決め部を、締付ボルトの頭部と第一延出片との間に挟まれるワッシャの一部として備えてもよい。
（２）上記実施形態では、ワッシャ２６の位置決め部２７は、１個所において屈曲された形態をなしているが、これに限らず、位置決め部は、屈曲されていない形態、すなわち連続部のみを有する形態としてもよく、これにより、ポスト接続部の一方向の回動のみを規制するものとしてもよい。
（３）上記実施形態では、位置決め部２７は、バッテリ本体３２の上面に形成されたポスト設置部３３の壁３４に当接するものとされているが、これに限らず、例えば、位置決め部を、バッテリ本体の上面よりも下方に延びる形状とし、バッテリ本体の側壁に当接するものとしてもよい。
（４）上記実施形態では、ワッシャ２６は、屈曲部２７Ｂが第一延出片１６Ａ側へ向かって延びる向きで装着されているが、これに限らず、バッテリの壁の位置等によっては、ワッシャ２６を反対向き、すなわち、屈曲部２７Ｂが第一延出片１６Ａとは反対側へ向かって延びる向きで装着してもよい。
（５）上記実施形態では、屈曲部２７Ｂの先端、および連続部２７Ａと屈曲部２７Ｂとの間の角部２７は、バッテリ端子１が一方向および他方向に回動すると、ポスト設置部３３の壁３４に当接するものとされているが、これに限らず、バッテリ端子が回動する前の状態、すなわちバッテリ端子をポスト設置部にセットした時点で、位置決め部の屈曲部の先端、および連続部と屈曲部との間の角部の両方が、ポスト設置部の壁に当接するものとしてもよい。
【符号の説明】
【００３３】
１０…バッテリ端子
１１…ポスト接続部
１５…環状部
１６Ａ…第一延出片
１６Ｂ…第ニ延出片
１７…締付ボルト（締め付け具）
１８…締付ナット（締め付け具）
２６…ワッシャ
２７…位置決め部
２７Ａ…連続部
２７Ｂ…屈曲部
２７Ｃ…角部
３０…バッテリ
３１…バッテリポスト
３４…壁
【図１】
2012230815.tif 000003
【図２】
2012230815.tif 000004
【図３】
2012230815.tif 000005
【図４】
2012230815.tif 000006
【図５】
2012230815.tif 000007
【図６】
2012230815.tif 000008
【図７】
2012230815.tif 000009